(57)【要約】      （修正有）【課題】透析装置前面に穴をあけずに信号を伝えるので防滴規格を満足出来、リード線或いはＦＰＣが動かないので、断線等の心配もないシリンジポンプ装置の提供。【解決手段】モータで駆動される送りねじを有し、該送りねじに係合する直線運動可能なプッシャー５によりシリンジの押し子４を押圧し液体を送出する構成のシリンジポンプ装置であって、上記プッシャーに上記押し子が装着されているか否かの検知機構を有し、この検知機構が、上記プッシャーを摺動自在に支持するパイプ７の全長に亘りパイプから電気的に絶縁して形成した２枚の導電板１２と、上記押し子が上記プッシャーに装着されたとき変位されて上記２枚の導電板から離間し、上記押し子が上記プッシャーに装着されていないとき上記２枚の導電板に接してこれを短絡するための導電性の短絡部材と、上記２枚の導電板の一端から液密に外部に引き出されるリード線１５とより成る。【選択図】  図４
2007029483.tif 000002
【特許請求の範囲】
【請求項１】
モータで駆動される送りねじを有し、該送りねじに係合する直線運動可能なプッシャーによりシリンジの押し子を押圧し液体を送出する構成のシリンジポンプ装置であって、上記プッシャーに上記押し子が装着されているか否かの検知機構を有し、この検知機構が、上記プッシャーを摺動自在に支持するパイプの全長に亘りパイプから電気的に絶縁して形成した２枚の導電板と、上記押し子が上記プッシャーに装着されたとき変位されて上記２枚の導電板から離間し、上記押し子が上記プッシャーに装着されていないとき上記２枚の導電板に接してこれを短絡するための導電性の短絡部材と、上記２枚の導電板の一端から液密に外部に引き出されるリード線とより成ることを特徴とするシリンジポンプ装置。
【請求項２】
上記短絡部材が、上記プッシャーに押し子が装着されたとき、押し子が接するようになる上記プッシャーの端面からシリンジの方向に山形に突出する板ばね部分と、この板ばね部分の下端部から二叉に分かれて下方に延びる板ばね部分と、この延長部分の下端で折り曲げられ、上記プッシャーに押し子が装着されたとき、その上面が上記パイプに形成した２枚の導電板から離隔し非導通状態となるばね接点部とより成ることを特徴とする請求項１記載のシリンジポンプ装置。
【発明の詳細な説明】
【技術分野】
【０００１】
本発明はシリンジポンプ装置、特に、シリンジの押し子がプッシャーに装着されているか否かを検知できるシリンジポンプ装置に関するものである。
【背景技術】
【０００２】
モータの回転により駆動されるプッシャーによってシリンジの押し子を押して薬液、血液等を人体に注入するシリンジポンプ装置は例えば特許文献１に示されている。
【特許文献１】特開平１０−１９２３９８号公報
【０００３】
図５はこのような従来のシリンジポンプ装置を示し、１はシリンジベース、２はこのシリンジベース１上に載置されるシリンジ、３はシリンジ押え、４は押し子、５は押し子プッシャー、６は上記押し子４を挿入するため上記プッシャー５に形成した鍔部、７は上記プッシャー５をその上面で摺動自在に保持する下面が開放された半円筒状のパイプ、８は上記シリンジベース１によって回転自在に支持された送りねじ、９はこの送りねじ８の下面に螺合した送りナット、１０はこの送りナット９と上記プッシャー５の下端間を連結する連結具、１１は上記送りねじ８をギヤ列を介して回転する駆動モータを示す。
【０００４】
このようなシリンジポンプ装置では、駆動モータ１１を回転すると、出力軸に接続されたギヤ列を介して送りねじ８が回転され、この送りねじ８に噛み合う送りナット９を介して、パイプ７をガイドにしてプッシャー５がリニアに移動し、シリンジ２の押し子４を押し薬液が注入される。
【発明の開示】
【発明が解決しようとする課題】
【０００５】
然しながら、上記従来のシリンジポンプ装置においては、シリンジの押し子４がプッシャー５の鍔部６にきちんと装着されていなくても、プッシャー５で押し子４を押すことが出来る為、薬液が注入されてしまう。この状態で、シリンジ２内に陰圧が加わると押し子４がプッシャー５の鍔部６に入っていないのでプッシャー５とは独立に押し子４がシリンジ２内に吸い込まれてしまい、薬液が過剰に注入されてしまう等の問題が発生する。
【０００６】
また、通常シリンジポンプ装置は透析装置の前面に取り付けられており、シリンジ２の押し子４を押すプッシャー５がリニアに移動することにより、薬液を注入する。プッシャー５内にリミットスイッチ又はフォトセンサー等の押し子検知センサーを組み込みその信号をリード線にて本体内部に伝えるものが知られているが上記信号を透析装置本体内部に伝えるには装置前面部に穴をあける等の細工をしリード線にて伝える必要があり、これでは防滴規格が適用できなくなる。又、移動するプッシャー５と共にリード線或いはＦＰＣ等も動くので断線等の問題が発生する。
【０００７】
本発明はこのような欠点を除くようにしたものである。
【課題を解決するための手段】
【０００８】
本発明のシリンジポンプ装置は、モータで駆動される送りねじを有し、該送りねじに係合する直線運動可能なプッシャーによりシリンジの押し子を押圧し液体を送出する構成のシリンジポンプ装置であって、上記プッシャーに上記押し子が装着されているか否かの検知機構を有し、この検知機構が、上記プッシャーを摺動自在に支持するパイプの全長に亘りパイプから電気的に絶縁して形成した２枚の導電板と、上記押し子が上記プッシャーに装着されたとき変位されて上記２枚の導電板から離間し、上記押し子が上記プッシャーに装着されていないとき上記２枚の導電板に接してこれを短絡するための導電性の短絡部材と、上記２枚の導電板の一端から液密に外部に引き出されるリード線とより成ることを特徴とする。
【０００９】
上記短絡部材は、上記プッシャーに押し子が装着されたとき、押し子が接するようになる上記プッシャーの端面からシリンジの方向に山形に突出する板ばね部分と、この板ばね部分の下端部から二叉に分かれて下方に延びる板ばね部分と、この延長部分の下端で折り曲げられ、上記プッシャーに押し子が装着されたとき、その上面が上記パイプに形成した２枚の導電板から離隔し非導通状態となるばね接点部とより成ることを特徴とする。
【発明の効果】
【００１０】
本発明のシリンジポンプ装置によれば、透析装置前面に穴をあけずに信号を伝えることが出来るので防滴規格を満足することが出来、リード線或いはＦＰＣが動かないので、断線等の心配もない。
【発明を実施するための最良の形態】
【００１１】
以下図面によって本発明の実施例を説明する。
【実施例１】
【００１２】
本発明のシリンジポンプ装置はプッシャー５に押し子４が装着されているか否かの検知機構を有し、この検知機構が図１及び図２に示すように半円筒状のパイプ７の下方開放端面の夫々に、パイプ７の全長に亘りパイプ７から電気的に絶縁して形成した２枚の導電板１２と、上記鍔部６に押し子４が挿入されたとき、押し子４が接するようになる上記プッシャー５の端面からシリンジ２の方向に山形に突出する板ばね部分１３ａと、この板ばね部分１３ａの下端部から二叉に分かれてシリンジベース１の方向に下方に延びる板ばね部分１３ｂと、この延長部分１３ｂの下端で折り曲げられ、その上面が常時上記パイプ７の開放端面に形成した２枚の導電板１２に夫々接触、摺動されるようになるばね接点部１３ｃとより成る導電性の板ばね１３と、この板ばね１３の上記山形に突出する部分１３ａをその外側からシールするゴムシール１４と、上記パイプ７の開放端面に形成された導電板１２の一端に夫々電気的に接続した、これから外部に引き出されるリード線１５と、このリード線１５の外部引き出し部において上記パイプ７とシリンジベース１間をシールするシール部１６とを設ける。
【００１３】
本発明のシリンジポンプ装置は上記のような構成であるから、押し子４が鍔部６に装着されていない場合には図１及び図２に示すように上記板ばね１３の山形に突出する板ばね部分１３ａは押し子４によって押されることがなく、従ってばね接点部１３ｃが夫々パイプ７の開放端面に形成した導電板１２に接触し、２枚の導電板１２は板ばね１３を介して導通された状態にあるが、押し子４が鍔部６に装着されると図３及び図４に示すように押し子４によって上記板ばね１３の山形部分がつぶされ、これに相当するだけ板ばね１３のばね接点部１３ｃが下方に押されパイプ７の導電板１２から離れ、２枚の導電板１２は非導通状態となり、これがリード線１５を介して外部に伝達されるようになる。従って、押し子駆動時に押し子４が鍔部６から外れると２枚の導電板１２間が導通され警報を発するようになる。
【図面の簡単な説明】
【００１４】
【図１】押し子がプッシャーの鍔部に装着されていない状態を示す本発明のシリンジポンプ装置の要部の縦断正面図である。
【図２】図１に示す本発明のシリンジポンプ装置の要部の縦断側面図である。
【図３】押し子がプッシャーの鍔部に装着されている状態を示す本発明のシリンジポンプ装置の要部の縦断正面図である。
【図４】図２に示す本発明のシリンジポンプ装置の要部の縦断側面図である。
【図５】従来のシリンジポンプ装置の縦断側面図である。
【符号の説明】
【００１５】
１    シリンジベース
２    シリンジ
３    シリンジ押え
４    押し子
５    プッシャー
６    鍔部
７    パイプ
８    送りねじ
９    送りナット
１０    連結具
１１    駆動モータ
１２    導電板
１３    板ばね
１３ａ  板ばね部分
１３ｂ  延長部分
１３ｃ  接点部
１４    ゴムシール
１５    リード線
１６    シール部
【図１】
2007029483.tif 000003
【図２】
2007029483.tif 000004
【図３】
2007029483.tif 000005
【図４】
2007029483.tif 000006
【図５】
2007029483.tif 000007